(57)【要約】【課題】  本発明は、一段と正確にフォーカス調整を実行できるようにする。【解決手段】  本発明は、カメラ本体２と、カメラ本体２と着脱自在に設けられ、オートフォーカスモードとマニュアルフォーカスモードとを交互に切り換えることが可能な交換用ＡＦレンズ３とを具え、当該交換用ＡＦレンズ３には、フォーカス調整を行うためのフォーカスリング９の周囲に目盛り３１が設けられているようにしたことにより、マニュアルフォーカスモードでフォーカス調整を行う場合であってもフォーカスリング９の目盛り３１を目安に正確にフォーカス調整することができる。【選択図】        図２
2005202307.tif 000002
【特許請求の範囲】
【請求項１】
カメラ本体と、
上記カメラ本体と着脱自在に設けられ、オートフォーカスモードとマニュアルフォーカスモードとを交互に切り換えることが可能な交換用レンズと
を具え、
上記交換用レンズには、フォーカス調整を行うためのフォーカスリングの周囲に目盛りが設けられている
ことを特徴とするビデオカメラ。
【請求項２】
上記目盛りは、数字以外の記号やマークによって表される
ことを特徴とする請求項１に記載のビデオカメラ。
【発明の詳細な説明】
【技術分野】
【０００１】
本発明は、ビデオカメラに関し、例えばカメラ本体と交換用レンズとが着脱自在に取り付けられた放送・業務用ディジタルビデオカメラに適用して好適なものである。
【背景技術】
【０００２】
従来、放送・業務用ビデオカメラにおいては、本体部とレンズ部とが一体的に構成されているものが一般的であり、かつレンズ部のズーム調整リングを手動又は自動で回転することによりフォーカス調整し得るようになされている（例えば、特許文献１参照）。
【特許文献１】特開2003-60957公報
【発明の開示】
【発明が解決しようとする課題】
【０００３】
ところでかかる構成の放送・業務用ビデオカメラにおいては、マニュアルフォーカスモードのときビューファインダを覗き込みながらズーム調整リングを手動で回転操作するので、当該ズーム調整リングの回転操作量を基準とするのではなく目視によるフォーカス調整を基準としているため、必ずしも正確にフォーカス調整し得ないという問題があった。
【０００４】
このように正確にフォーカス調整し得ない場合、ＨＤＶＳ(High Definition Video System)対応の放送・業務用ビデオカメラになるほど画質が鮮明であるため問題となる。
【０００５】
本発明は以上の点を考慮してなされたもので、マニュアルフォーカスモードであっても一段と正確にフォーカス調整を実行し得るビデオカメラを提案しようとするものである。
【課題を解決するための手段】
【０００６】
かかる課題を解決するため本発明においては、カメラ本体と、カメラ本体と着脱自在に設けられ、オートフォーカスモードとマニュアルフォーカスモードとを交互に切り換えることが可能な交換用レンズとを具え、当該交換用レンズには、フォーカス調整を行うためのフォーカスリングの周囲に目盛りが設けられているようにしたことにより、マニュアルフォーカスモードでフォーカス調整を行う場合であってもフォーカスリングの目盛りを目安に正確にフォーカス調整することができる。
【発明の効果】
【０００７】
本発明によれば、カメラ本体と、カメラ本体と着脱自在に設けられ、オートフォーカスモードとマニュアルフォーカスモードとを交互に切り換えることが可能な交換用レンズとを具え、当該交換用レンズには、フォーカス調整を行うためのフォーカスリングの周囲に目盛りが設けられているようにしたことにより、マニュアルフォーカスモードでフォーカス調整を行う場合であってもフォーカスリングの目盛りを目安に一段と正確にフォーカス調整し得るビデオカメラを実現できる。
【発明を実施するための最良の形態】
【０００８】
以下、図面について、本発明の一実施の形態を詳述する。
【０００９】
（１）オートフォーカス機能付ビデオカメラの全体構成
図１及び図２において、１は全体としてＨＤＶＳ(High Definition Video System)対応の放送・業務用に用いられる本発明のオートフォーカス機能付ビデオカメラを示し、カメラ本体２と交換用ＡＦ(Auto Focus)レンズ３とが着脱自在に取り付けられて構成されている。
【００１０】
カメラ本体２にはハンドル状の把持部４が設けられると共に、音声集音用のマイクロフォン５及びビューファインダ６が設けられている。
【００１１】
交換用ＡＦレンズ３は、フォーカス調整用レンズ（図示せず）が後玉の位置に内蔵され、鏡筒１１にフォーカスリング９が取り付けられた構成のレンズ部７と、当該フォーカス調整用レンズを動かしてフォーカス調整するためのレンズコントロールユニット８によって構成されている。なおレンズ部７にはフード１２が取り付けられている。
【００１２】
なお交換用ＡＦレンズ３のレンズコントロールユニット８は、カメラ本体２に対して取り付けられた状態で当該カメラ本体２から電力の供給を受け、その電力を基にフォーカス調整を実行するようになされている。
【００１３】
このような構成のオートフォーカス機能付ビデオカメラ１は、交換用ＡＦレンズ３を着脱自在に取り外すことが可能な構成であるため、当該交換用ＡＦレンズ３とはズーム比率の異なる他の交換用ＡＦレンズに交換して用いることができるようになされている。
【００１４】
またオートフォーカス機能付ビデオカメラ１では、交換用ＡＦレンズ３のレンズコントロールユニット８にオートフォーカスモードとマニュアルフォーカスモードとを交互に切り換えるために切換スイッチ１０が設けられており、これによりカメラマンの希望に応じてオートフォーカスモードとマニュアルフォーカスモードとを任意に切り換えることができるようになされている。
【００１５】
オートフォーカス機能付ビデオカメラ１では、オートフォーカスモードに設定されている場合、レンズコントロールユニット８の制御によって自動的にフォーカス調整を行うようになされているが、マニュアルフォーカスモードに設定されている場合、カメラマンによるフォーカスリング９の回転操作に応じて交換用ＡＦレンズ３に内蔵されているフォーカス調整用レンズ（図示せず）を動かしてフォーカス調整するようになされている。
【００１６】
因みにオートフォーカス機能付ビデオカメラ１では、ＨＤＶＳ対応で画質が従来のＳＤ(Standard Definition)方式よりも一段と鮮明になったために、わずかなピントずれであってもそれが映像に表れてしまうので、カメラマンのフォーカス調整操作に正確性が一段と要求される。
【００１７】
具体的には、図３に示すようにオートフォーカス機能付ビデオカメラ１は、レンズ部７にレンズ群２０を有しており、フォーカスリング９がカメラマンによって回転操作されると、当該フォーカスリング９と連動したロータリエンコーダ９Ａから制御部２１を介して回転操作に応じた移動量をモータ２２に伝達し、当該モータ２２によってフォーカス調整用レンズ２０Ａを矢印方向へ駆動制御するようになされている。
【００１８】
これによりオートフォーカス機能付ビデオカメラ１は、カメラマンによるフォーカスリング９の回転操作に応じてフォーカス調整用レンズ２０Ａを動かし、マニュアル操作によってもフォーカス調整することができるようになされている。
【００１９】
ここで交換用ＡＦレンズ３においては、フォーカスリング９とフォーカス調整用レンズ２０Ａとは直接連動しているのではなく、ロータリエンコーダ９Ａ及びモータ２２を介して間接的に駆動する構成であるため当該フォーカスリング９の回転範囲には制限がなく左右いずれの方向に対しても回転し続けてしまう。
【００２０】
従って、例えばカメラマンがマニュアルフォーカスモードでフォーカス調整を行う場合、最初の被写体にフォーカスを合わせた状態から次の被写体にパンニングする等して当該次の被写体にフォーカスを合わせた後に、再度最初の被写体に戻してフォーカスを合わせるときには、フォーカスリング９をどれだけ回転させたのかを覚えておかなくてはならない。
【００２１】
しかしながら、カメラマンにとっては実際にビューファインダ６を覗き見ながらフォーカスリング９を回転操作するため、当該フォーカスリング９の回転操作量を正確に記憶しておいて元の状態に戻すことは困難なことが多い。
【００２２】
そこでオートフォーカス機能付ビデオカメラ１では、図４に示すように鏡筒１１と隣接するフォーカスリング９の境界部分９Ａの周囲に目盛り３１を所定間隔毎に複数印字すると共に、フォーカスリング９と隣接する鏡筒１１の境界部分１１Ａの周囲に１箇所だけ基準線３０を印字するようになされている。
【００２３】
これによりオートフォーカス機能付ビデオカメラ１は、フォーカスリング９の境界部分９Ａの周囲に設けられた目盛り３１と、鏡筒１１の境界部分１１Ａの周囲に１箇所だけ設けられた基準線３０との位置関係に基づいて当該フォーカスリング９の回転操作量をカメラマンに対して容易に目視確認させ得るようになされている。
【００２４】
この場合、フォーカスリング９の境界部分９Ａの周囲に印字された目盛り３１は、あくまで基準線３０との関係でフォーカスリング９の回転操作量を相対的に示すためのものであるから数値を入れるべきではない。
【００２５】
従ってオートフォーカス機能付ビデオカメラ１は、上述の目盛り３１以外にも、例えば図５に示すようにフォーカスリング９の境界部分９Ａの周囲に○印の記号を目盛り３２として印字したり、図６に示すようにアルファベットを目盛り３３として設けるようにしても良く、これによりフォーカスリング９が無制限に回転し続けてしまっても、当該フォーカスリング９を回転させた回数及び目盛り３２、３３の位置をフォーカス調整に要した回転操作量の目安としてカメラマンに認識させ得るようになされている。
【００２６】
また図７に示すようにオートフォーカス機能付ビデオカメラ１は、フォーカスリング９の境界部分９Ａの周囲に○、△、□、×等の記号を目盛り３４として印字したり、図８に示すように大きさの異なる○印の記号を目盛り３５として印字するようにしても良い。
【００２７】
特に、大きさの異なる○印の記号が大きさの順番に並べられた目盛り３５を目視しているカメラマンにとっては、フォーカスリング９を回転操作してフォーカス調整する際の回転方向を○印の記号の大きさによって直感的に認識することが容易となる。
【００２８】
（２）動作及び効果
以上の構成において、オートフォーカス機能付ビデオカメラ１は回転操作されるフォーカスリング９の境界部分９Ａの周囲に数字以外の目盛り３１〜３５を印字すると共に、フォーカスリング９と隣接する鏡筒１１の境界部分１１Ａの周囲に１箇所だけ基準線３０を印字することにより、マニュアルフォーカスモードにおいてフォーカスリング９を回転操作してフォーカス調整する場合であっても、当該目盛り３１〜３５と基準線３０との位置関係に基づいて当該フォーカスリング９をどれだけの量だけ回転操作したか又はするべきかをカメラマンに対して正確に認識させることができる。
【００２９】
これによりカメラマンは、マニュアルフォーカスモードであっても被写体にフォーカスを合わせたときの基準線３０に対する目盛り３１〜３５の位置を記憶しておき、再度その被写体にフォーカスを合わせるときには当該記憶しておいた目盛り３１〜３５の位置に基準線３０を一致させるようにフォーカスリング９を回転操作するだけで良い。
【００３０】
またオートフォーカス機能付ビデオカメラ１は、目盛り３１〜３５として数字以外の記号等を印字するようにしたことにより、フォーカスリング９の回転操作量を絶対値としてではなく相対値としてカメラマンに認識させることができ、交換用ＡＦレンズ３が他の交換用ＡＦレンズに交換された場合であっても目盛り３１〜３５がフォーカス調整の目安として有効に機能するようになされている。
【００３１】
以上の構成によれば、オートフォーカス機能付ビデオカメラ１はフォーカス調整のために回転操作するフォーカスリング９の境界部分９Ａの周囲に数字以外の目盛り３１〜３５を印字すると共に、フォーカスリング９と隣接する鏡筒１１の境界部分１１Ａの周囲に１箇所だけ基準線３０を印字することにより、マニュアルフォーカスモードであっても目盛り３１〜３５を目安に正確なフォーカス調整を実現することができる。
【００３２】
（３）他の実施の形態
なお上述の実施の形態においては、本発明をＨＤＶＳ(High Definition Video System)対応の放送・業務用ディジタルＶＴＲとして用いられるオートフォーカス機能付ビデオカメラに適用するようにした場合について述べたが、本発明はこれに限らず、マニュアルフォーカスモードでフォーカス調整を行うものであれば、光ディスクを記録媒体としたディジタルＶＴＲ等のその他種々のビデオカメラに本発明を適用するようにしても良い。
【００３３】
また上述の実施の形態においては、図４〜図８に示したように数字以外の目盛り３１〜３５を印字するようにした場合について述べたが、本発明はこれに限らず、図９及び図１０に示すようにフォーカスリング９の境界部分９Ａの周囲に細い溝を形成しておき、そこに白い突起物４０をはめ込み、それを目盛りとしてスライド自在に動かすようにしても良い。
【００３４】
この場合、カメラマンは被写体にフォーカスを合わせたとき、突起物４０をスライドして基準線３０に一致させておけば、当該被写体に再度フォーカスを合わせる際には基準線３０と突起物４０とを一致させるだけでよく、目盛りと基準線３０との位置関係を記憶しておく必要がなくなる。
【００３５】
さらに上述の実施の形態においては、フォーカスリング９の境界部分９Ａの周囲に目盛り３１〜３５を印字するようにした場合について述べたが、本発明はこれに限らず、境界部分９Ａ以外であってもフォーカスリング９のいずれかの部位における周囲であれば、何れの部位に目盛り３１〜３５を印字するようにしても良い。
【００３６】
さらに上述の実施の形態においては、鏡筒１１の境界部分１１の周囲に１箇所だけ基準線３０を印字するようにした場合について述べたが、本発明はこれに限らず、例えば１８０度相反する位置にもう１箇所基準線を印字するようにしても良い。
【００３７】
さらに上述の実施の形態においては、本実施の形態におけるオートフォーカス機能付ビデオカメラ１をＨＤＶＳ対応の放送・業務用に用いられるものに適用するようにした場合について述べたが、本発明はこれに限らず、ＨＤＶＳ以外の規格に対応した放送・業務用以外のものに適用するようにしても良い。
【産業上の利用可能性】
【００３８】
本発明のビデオカメラは、例えば交換用ＡＦレンズを取り付けて用いるビデオカメラであってマニュアルフォーカスモードでフォーカス調整を行う用途に適用することができる。
【図面の簡単な説明】
【００３９】
【図１】本発明のオートフォーカス機能付ビデオカメラの全体構成を示す略線的斜視図である。
【図２】オートフォーカス機能付ビデオカメラの側面部の構成を示す略線図である。
【図３】フォーカス調整機構を示す略線図である。
【図４】フォーカスリングの目盛り（１）を示す略線図である。
【図５】フォーカスリングの目盛り（２）を示す略線図である。
【図６】フォーカスリングの目盛り（３）を示す略線図である。
【図７】フォーカスリングの目盛り（４）を示す略線図である。
【図８】フォーカスリングの目盛り（５）を示す略線図である。
【図９】他の実施の形態におけるフォーカスリングの目盛りを示す略線図である。
【図１０】他の実施の形態におけるフォーカスリングの目盛りの構造を示す略線図である。
【符号の説明】
【００４０】
１……オートフォーカス機能付ビデオカメラ、２……カメラ本体、３……交換用ＡＦレンズ、４……把持部、５……マイクロフォン、６……ビューファインダ、７……レンズ部、８……レンズコントロールユニット、９……フォーカスリング、９Ａ……ロータリエンコーダ、１０……切換スイッチ、１１……鏡筒、１２……フード、２０……レンズ群、２０Ａ……フォーカス調整用レンズ、２１……制御部、２２……モータ、３０……基準線、３１……目盛り。
【図１】
2005202307.tif 000003
【図２】
2005202307.tif 000004
【図３】
2005202307.tif 000005
【図４】
2005202307.tif 000006
【図５】
2005202307.tif 000007
【図６】
2005202307.tif 000008
【図７】
2005202307.tif 000009
【図８】
2005202307.tif 000010
【図９】
2005202307.tif 000011
【図１０】
2005202307.tif 000012